(57)【要約】      （修正有）【課題】端末装置及びペン型入力機器における無駄な電力消費を低減する。【解決手段】情報処理装置１は、携帯型端末装置２とペン型入力機器３とを含んで構成され、ペン型入力機器３によって入力された筆跡を認証する筆跡認証部２２と、筆跡認証に応じてペン型入力機器３の使用時間を検出する使用時間検出部２３と、使用者を特定する情報と、使用時間を基に算出された使用頻度の高い時間帯の情報とを関連付けて格納する使用履歴格納部３０と、使用時間検出部２３によって検出された使用時間が、使用者に対応する使用頻度の高い時間帯に含まれるか否かを判定する時間判定部２４と、判定結果に応じて携帯型端末装置２とペン型入力機器３との間を自動的に接続する接続制御部２５とを備える。【選択図】図１
2015186216.tif 000002
【特許請求の範囲】
【請求項１】
ペン型入力機器に近距離無線で接続可能な端末装置であって、
前記ペン型入力機器によって入力された筆跡を基に、該筆跡が特定の使用者によるものであることを認証する筆跡認証手段と、
前記筆跡認証手段による認証に応じて、前記使用者による前記ペン型入力機器の使用時間を検出する使用時間検出手段と、
前記使用者を特定する情報と、前記使用時間検出手段によって検出された前記使用時間を基に算出された使用頻度の高い時間帯の情報とを関連付けて格納する使用履歴格納手段と、
前記使用時間検出手段によって検出された前記使用時間が、前記使用者に対応する使用頻度の高い前記時間帯に含まれるか否かを判定する時間判定手段と、
前記時間判定手段による判定結果に応じて、前記端末装置と前記ペン型入力機器との間を自動的に接続する接続制御手段と、
を備えることを特徴とする端末装置。
【請求項２】
前記使用時間検出手段は、前記ペン型入力機器の前記端末装置への接触を検出することにより、前記使用時間を検出する
ことを特徴とする請求項１記載の端末装置。
【請求項３】
前記使用時間検出手段は、前記筆跡認証手段による認証の完了時間を検出し、
前記時間判定手段は、当該完了時間が使用頻度の高い前記時間帯に含まれるか否かを判定する、
ことを特徴とする請求項１又は２に記載の端末装置。
【請求項４】
前記使用履歴格納手段は、前記時間帯の情報と、前記時間帯における前記使用時間検出手段による検出回数である使用頻度とを関連付けて格納し、
前記時間判定手段は、前記使用時間検出手段によって検出された前記使用時間を含む前記時間帯に対応する前記使用頻度が、所定値以上であるか否かを判定する、
ことを特徴とする請求項１〜３のいずれか１項に記載の端末装置。
【請求項５】
前記使用履歴格納手段は、前記時間帯の情報として、前記使用時間検出手段によって検出された前記使用時間を平均することにより算出された時間帯の情報を格納する、
ことを特徴とする請求項１〜３のいずれか１項に記載の端末装置。
【請求項６】
ペン型入力機器に近距離無線で接続可能に構成される端末装置によって実行される接続制御方法であって、
前記ペン型入力機器によって入力された筆跡を基に、該筆跡が特定の使用者によるものであることを認証する筆跡認証ステップと、
前記筆跡認証ステップによる認証に応じて、前記使用者による前記ペン型入力機器の使用時間を検出する使用時間検出ステップと、
前記使用者を特定する情報と、前記使用時間検出ステップによって検出された前記使用時間を基に算出された使用頻度の高い時間帯の情報とを関連付けて格納する使用履歴格納ステップと、
前記使用時間検出ステップによって検出された前記使用時間が、前記使用者に対応する使用頻度の高い前記時間帯に含まれるか否かを判定する時間判定ステップと、
前記時間判定ステップによる判定結果に応じて、前記端末装置と前記ペン型入力機器との間を自動的に接続する接続制御ステップと、
を備えることを特徴とする接続制御方法。
【発明の詳細な説明】
【技術分野】
【０００１】
本発明は、端末装置及び接続制御方法に関するものである。
【背景技術】
【０００２】
近年、スマートフォン、タブレット端末等の端末機器に使用される入力機器としてペン型入力機器が使用されている。このようなペン型入力機器の中には、端末機器に対する着信を検出して通知する機能や、マイク、スピーカ等を内蔵して端末機器との間で音声信号を送受信する機能を有するものも知られている。
【０００３】
下記特許文献１には、ペン型入力機器であるスタイラスペンに個人認証機能を具備させたものが開示されている。このようなスタイラスペンは、指紋認証用センサによってユーザの指紋を検知し、その指紋を予め登録された個人認証データと比較し、その比較結果を基にした個人認証が成功した場合にスタイラスペンの各種処理を可能にする。
【先行技術文献】
【特許文献】
【０００４】
【特許文献１】特開２００５−１８４２６号公報
【発明の概要】
【発明が解決しようとする課題】
【０００５】
上述した従来のペン型入力機器においては、個人認証の結果を基にスタイラスペンによる各種処理を可能にしているが、これを端末機器との間の信号送受信処理に適用し、個人認証の結果を基に端末機器とペン型入力機器との間の信号送受信を可能にすることも考えられる。しかしながら、この場合は、端末機器及びペン型入力機器の無駄な電力消費が増大する傾向にある。
【０００６】
そこで、本発明は、かかる課題に鑑みて為されたものであり、端末装置及びペン型入力機器における無駄な電力消費を低減することが可能な端末装置及び接続制御方法を提供することを目的とする。
【課題を解決するための手段】
【０００７】
上記課題を解決するため、本発明の一形態に係る端末装置は、ペン型入力機器に近距離無線で接続可能な端末装置であって、前記ペン型入力機器によって入力された筆跡を基に、該筆跡が特定の使用者によるものであることを認証する筆跡認証手段と、前記筆跡認証手段による認証に応じて、前記使用者による前記ペン型入力機器の使用時間を検出する使用時間検出手段と、前記使用者を特定する情報と、前記使用時間検出手段によって検出された前記使用時間を基に算出された使用頻度の高い時間帯の情報とを関連付けて格納する使用履歴格納手段と、前記使用時間検出手段によって検出された前記使用時間が、前記使用者に対応する使用頻度の高い前記時間帯に含まれるか否かを判定する時間判定手段と、前記時間判定手段による判定結果に応じて、前記端末装置と前記ペン型入力機器との間を自動的に接続する接続制御手段と、を備える。
【０００８】
或いは、本発明の他の形態に係る接続制御方法は、ペン型入力機器に近距離無線で接続可能に構成される端末装置によって実行される接続制御方法であって、前記ペン型入力機器によって入力された筆跡を基に、該筆跡が特定の使用者によるものであることを認証する筆跡認証ステップと、前記筆跡認証ステップによる認証に応じて、前記使用者による前記ペン型入力機器の使用時間を検出する使用時間検出ステップと、前記使用者を特定する情報と、前記使用時間検出ステップによって検出された前記使用時間を基に算出された使用頻度の高い時間帯の情報とを関連付けて格納する使用履歴格納ステップと、前記使用時間検出ステップによって検出された前記使用時間が、前記使用者に対応する使用頻度の高い前記時間帯に含まれるか否かを判定する時間判定ステップと、前記時間判定ステップによる判定結果に応じて、前記端末装置と前記ペン型入力機器との間を自動的に接続する接続制御ステップと、を備える。
【０００９】
このような端末装置或いは接続制御方法によれば、ペン型入力機器による筆跡を基に特定の使用者が認証され、その認証結果に応じて当該使用者によるペン型入力機器の使用時間が検出され、検出された使用時間を基に算出された使用頻度の高い時間帯の情報が、使用者を特定する情報に関連付けて使用履歴格納手段に格納される。そして、検出された使用者によるペン型入力機器の使用時間が、使用履歴格納手段に格納された使用頻度の高い時間帯に含まれるかが判定され、その判定結果に応じて端末装置とペン型入力機器との間が自動接続される。これにより、使用者によってペン型入力機器が使用される可能性が高い時間帯において端末装置とペン型入力機器との間での信号送受信が可能とされるので、端末装置とペン型入力機器との間での無駄な無線接続を防止できる。その結果、端末装置及びペン型入力機器における無駄な電力消費を低減することができる。
【００１０】
使用時間検出手段は、ペン型入力機器の端末装置への接触を検出することにより、使用時間を検出することが好ましい。こうすれば、使用者によるペン型入力機器の使用時間を簡易かつ正確に検出することができる。
【００１１】
また、使用時間検出手段は、筆跡認証手段による認証の完了時間を検出し、時間判定手段は、当該完了時間が使用頻度の高い時間帯に含まれるか否かを判定する、ことも好ましい。かかる構成を採れば、筆跡の認証の完了時間が使用頻度の高い時間帯に含まれるかに応じて、端末装置とペン型入力機器との間が自動接続されるので、端末装置とペン型入力機器との間での信号送受信処理をタイミングよく開始させることができる。
【００１２】
さらに、使用履歴格納手段は、時間帯の情報と、時間帯における使用時間検出手段による検出回数である使用頻度とを関連付けて格納し、時間判定手段は、使用時間検出手段によって検出された使用時間を含む時間帯に対応する使用頻度が、所定値以上であるか否かを判定する、ことも好ましい。この場合、ペン型入力機器の使用時間を含む時間帯の使用頻度が所定値以上であるか否かに応じて、端末装置とペン型入力機器との間が自動接続されるので、端末装置とペン型入力機器との間での無駄な無線接続を効率的に防止できる。その結果、端末装置及びペン型入力機器における無駄な電力消費を効果的に低減することができる。
【００１３】
またさらに、使用履歴格納手段は、時間帯の情報として、使用時間検出手段によって検出された使用時間を平均することにより算出された時間帯の情報を格納する、ことも好ましい。こうすれば、使用者ごとの使用時間が使用頻度の互い時間帯に含まれるか否かの判定を簡易な演算で実現できる。その結果、端末装置とペン型入力機器との間の自動接続処理を効率化できる。
【発明の効果】
【００１４】
本発明によれば、端末装置及びペン型入力機器における無駄な電力消費を低減することが可能な端末装置及び接続制御方法を提供することができる。
【図面の簡単な説明】
【００１５】
【図１】本発明の好適な一実施形態にかかる情報処理装置の概略構成図である。
【図２】図１の携帯型端末装置２のハードウェア構成を示すブロック図である。
【図３】図１のペン型入力機器３のハードウェア構成を示すブロック図である。
【図４】図１の使用履歴格納部３０に格納される使用頻度情報のデータ構成の一例を示す図である。
【図５】図１の携帯型端末装置２の携帯型端末装置２の使用頻度情報の生成処理の動作手順を示すフローチャートである。
【図６】図１の携帯型端末装置２及びペン型入力機器３における近距離無線通信の自動接続の動作手順を示すフローチャートである。
【図７】図１の携帯型端末装置２において出力される出力画面のイメージを示す図である。
【図８】図１の携帯型端末装置２において出力される出力画面のイメージを示す図である。
【発明を実施するための形態】
【００１６】
以下、図面とともに本発明による端末装置及び接続制御方法の好適な実施形態について詳細に説明する。なお、図面の説明においては同一要素には同一符号を付し、重複する説明を省略する。
【００１７】
図１は、本発明の好適な一実施形態にかかる情報処理装置１の概略構成図である。図１に示す情報処理装置１は、スマートフォン、タブレット端末、携帯電話端末等に代表される移動体通信ネットワーク或いは無線ＬＡＮ（Local Area Network）に接続可能な携帯型端末装置２と、その携帯型端末装置２に近距離無線通信によって接続可能なスタイラスペン等のペン型入力機器３とによって構成される。携帯型端末装置２とペン型入力機器３とが互いに接続するために用いる近距離無線通信としては、ブルートゥース通信、赤外線通信、無線ＬＡＮ通信等が挙げられる。
【００１８】
図２は、携帯型端末装置２のハードウェア構成を示すブロック図である。同図に示すように、携帯型端末装置２は、物理的には、ＣＰＵ２０１、主記憶装置であるＲＡＭ２０２及びＲＯＭ２０３、入力キー等の入力デバイスである入力装置２０４、タッチパネルディスプレイ等の出力装置２０５、データ送受信デバイスである移動体通信モジュール２０６及び近距離通信モジュール２０７、半導体メモリ等の補助記憶装置２０８、タッチパネルディスプレイ上でのペン型入力機器３の接触位置を検出するタッチセンサ部２０９などを含むコンピュータシステムとして構成されている。図１における携帯型端末装置２の各機能は、図２に示されるＣＰＵ２０１、ＲＡＭ２０２等のハードウェア上に１又は複数の所定のコンピュータソフトウェアを読み込ませることにより、ＣＰＵ２０１の制御のもとで入力装置２０４、出力装置２０５、移動体通信モジュール２０６、近距離通信モジュール２０７、及びタッチセンサ部２０９を動作させるとともに、ＲＡＭ２０２や補助記憶装置２０８におけるデータの読み出し及び書き込みを行うことで実現される。
【００１９】
また、図３は、ペン型入力機器３のハードウェア構成を示すブロック図である。同図に示すように、ペン型入力機器３は、物理的には、ＣＰＵ３０１、主記憶装置であるＲＡＭ３０２及びＲＯＭ３０３、データ送受信デバイスである近距離通信モジュール３０６、半導体メモリ等の補助記憶装置３０８、携帯型端末装置２との間で近距離通信モジュール３０６を介して送受信されるデータを入出力する入出力部３０７などを含むコンピュータシステムとして構成されている。図１におけるペン型入力機器３の各機能は、図３に示されるＣＰＵ３０１、ＲＡＭ３０２等のハードウェア上に１又は複数の所定のコンピュータソフトウェアを読み込ませることにより、ＣＰＵ３０１の制御のもとで近距離通信モジュール３０６及び入出力部３０７を動作させるとともに、ＲＡＭ３０２や補助記憶装置３０８におけるデータの読み出し及び書き込みを行うことで実現される。この入出力部３０７には、例えば、携帯型端末装置２から受信したデータを基に映像光を投影するプロジェクタ装置、携帯型端末装置２から電子メール等が着信したことを示すデータを受信して着信通知を行う発光素子、携帯型端末装置２に着信した音声データを受信してそれを基に音声出力するスピーカ、音声を入力してそれに基づく音声データを携帯型端末装置２に送信するマイク等が内蔵されている。
【００２０】
以下、図１に戻って、携帯型端末装置２及びペン型入力機器３の機能構成について詳述する。
【００２１】
このペン型入力機器３は、携帯型端末装置２のタッチパネルディスプレイ上に接触させることにより筆跡を入力可能な入力機器であり、機能的な構成要素として、近距離無線部３１、接続制御部３２、及びデータ入出力部３３を備えている。近距離無線部３１は、近距離通信モジュール３０６（図３）を用いて、携帯型端末装置２との間で近距離無線通信によってデータを送受信する。接続制御部３２は、近距離無線部３１による携帯型端末装置２との間における近距離無線通信の接続の確立及びその接続の解除を制御する。データ入出力部３３は、携帯型端末装置２との間で近距離無線通信を用いて送受信されたデータを、入出力部３０７（図３）を使用して入出力する。例えば、データ入出力部３３は、携帯型端末装置から受信されたデータを映像光に変換して外部に投影するプロジェクタ機能を有する。また、データ入出力部３３は、携帯型端末装置２において発着信される音声通話データを入出力する音声通話機能（ヘッドセット機能等）を有していてもよく、携帯型端末装置２における電子メールの着信を通知する着信通知機能を有していてもよい。なお、接続制御部３２による近距離無線通信の接続の確立は、後述する携帯型端末装置２の接続制御部２５による自動接続の制御を契機に開始される。また、データ入出力部３３によるデータの入出力は、接続制御部２５による自動接続の制御を契機に可能とされる。
【００２２】
携帯型端末装置２は、情報を表示する出力デバイス、およびペン型入力機器３による入力を受け付ける入力デバイスとしていわゆるタッチパネルディスプレイ２８を備える端末装置であり、機能的な構成要素として、筆跡入力部２１、筆跡認証部（筆跡認証手段）２２、使用時間検出部（使用時間検出手段）２３、時間判定部（時間判定手段）２４、接続制御部（接続制御手段）２５、近距離無線部２６、データ入出力部２７、筆跡データ格納部２９、及び使用履歴格納部（使用履歴格納手段）３０を備えている。
【００２３】
筆跡入力部２１は、ペン型入力機器３を用いて使用者によってタッチパネルディスプレイ２８上で入力された筆跡を、タッチセンサ部２０９（図２）を利用して入力する。具体的には、筆跡入力部２１は、タッチパネルディスプレイ上での接触位置の軌跡を示す筆跡データを生成し、筆跡認証部２２に引き渡す。
【００２４】
筆跡認証部２２は、筆跡入力部２１から入力された筆跡データを基に、その筆跡データが特定の使用者による筆跡を示すものであるか否かを認証する。すなわち、筆跡データ格納部２９には、複数の使用者に対応する複数の文字等の複数のパターンの認証用筆跡データが格納されており、筆跡認証部２２は、入力された筆跡データを筆跡データ格納部２９に格納された複数の認証用筆跡データと照合することにより、その筆跡データが特定の使用者によるものであることを認証する。
【００２５】
使用時間検出部２３は、使用者によるペン型入力機器３の使用時間を検出する。具体的には、ペン型入力機器３のタッチパネルディスプレイ２８への接触を検出し始めた時刻を使用開始時刻として検出し、その後、ペン型入力機器３のタッチパネルディスプレイ２８への接触が所定時間（例えば、３０分間）検出されなくなったタイミングを使用終了時刻として検出する。ここで、使用時間検出部２３は、使用開始時刻と使用終了時刻との間における筆跡認証部２２による筆跡認証の結果に応じて、検出した使用時間におけるペン型入力機器３の使用者を、その筆跡認証により認証された特定の使用者であると判断する。そして、使用時間検出部２３は、検出した使用時間を基に算出された時間帯毎の使用頻度の情報を、ペン型入力機器３の使用者を特定する情報に関連付けて、使用履歴格納部３０に格納する。さらに、使用時間検出部２３は、筆跡認証部２２による筆跡認証の成功時の認証処理の完了時刻を検出し、その完了時刻を時間判定部２４に通知する。
【００２６】
図４には、使用時間検出部２３によって使用履歴格納部３０に格納された使用時間毎及び使用者毎の使用頻度情報のデータ構成の一例を示している。この例のように、使用時間検出部２３は、過去に検出された使用者毎の使用時間を基に、使用開始時刻及び使用終了時刻を含む時間帯毎の所定期間（例えば、１週間）における使用時間検出部２３による検出の回数である使用頻度を、ペン型入力機器３の使用者毎に集計し、その集計結果を使用履歴格納部３０に格納する。例えば、使用履歴格納部３０には、開始時刻“9:00”及び終了時刻“12:00”を含む時間帯情報と、その時間帯でペン型入力機器３を使用した使用者を特定する筆跡情報“A”と、その時間帯におけるその使用者によるペン型入力機器３の使用頻度（回／週）を示す使用頻度“4”とが、互いに関連付けて格納されている。さらに、使用履歴格納部３０には、他の時間帯及び他の使用者に対応した使用頻度情報もあわせて格納される。ここで、使用履歴格納部３０に格納される使用頻度の集計データにおいては、時間帯情報に含まれる時刻が３０分単位等で端数処理された時刻で集計される。
【００２７】
時間判定部２４は、使用時間検出部２３によって検出された特定の使用者によるペン型入力機器３の使用時間が、特定の使用者に対応する使用頻度の高い時間帯に含まれるか否かを判定する。すなわち、時間判定部２４は、ペン型入力機器３の使用時間における認証処理の完了時刻を特定し、その完了時刻を基に使用履歴格納部３０を参照し、使用履歴格納部３０に格納された使用頻度情報の中から、当該特定の使用者に対応する筆跡情報と、認証処理の完了時刻を含む時間帯情報とに対応付けられているものを抽出する。例えば、認証処理の完了時刻が“7:30”であり、認証された特定の使用者に対応する筆跡情報が“A”である場合には、時間判定部２４は、図４に示した使用頻度情報の中から、時間帯情報“6:00〜12:00”及び筆跡情報“A”に関連付けられている使用頻度“2”を抽出する。そして、時間判定部２４は、抽出した使用頻度情報を基に使用頻度の合計値を算出し、その合計値が予め設定された所定閾値（例えば、“3”）以上であるか否かを判定する。さらに、時間判定部２４は、その判定結果を接続制御部２５に通知する。
【００２８】
接続制御部２５は、時間判定部２４の判定結果に応じて、使用頻度の合計値が所定閾値以上と判定された場合には、携帯型端末装置２とペン型入力機器３との間の近距離無線通信の接続の確立を自動的に開始するように制御するとともに、両者の間でのデータの送受信を可能とするように制御する。
【００２９】
近距離無線部２６は、近距離通信モジュール２０７（図２）を用いて、ペン型入力機器３との間で近距離無線通信によってデータを送受信する。また、近距離無線部２６は、接続制御部２５の制御に応じて、ペン型入力機器３の近距離無線部３１との間の接続を確立及び解除する。
【００３０】
データ入出力部２７は、ペン型入力機器３との間で近距離無線通信を用いて送受信するデータを入出力する。例えば、データ入出力部２７は、ペン型入力機器３のデータ入出力部３３において投影する映像用データを、補助記憶装置２０８（図２）等から読み出して近距離無線部２６に入力する。また、データ入出力部２７は、移動体通信モジュール２０６（図２）を介して発着信される音声通話データを、近距離無線部２６を介してペン型入力機器３との間で送受信する。さらに、データ入出力部２７は、移動体通信モジュール２０６（図２）による電子メールの着信を通知するデータを、近距離無線部２６を介してペン型入力機器３に送信する。
【００３１】
以下、携帯型端末装置２及びペン型入力機器３における近距離無線通信の接続制御動作の手順について説明するとともに、本実施形態にかかる接続制御方法について詳述する。図５は、携帯型端末装置２の使用頻度情報の生成処理の動作手順を示すフローチャートであり、図６は、携帯型端末装置２及びペン型入力機器３における近距離無線通信の自動接続の動作手順を示すフローチャートである。また、図７及び図８は、図６に示す動作時に携帯型端末装置２に出力される出力画面のイメージを示す図である。
【００３２】
まず、図５を参照して、携帯型端末装置２における使用頻度情報の生成処理の動作手順について説明する。
【００３３】
最初に、携帯型端末装置２によって、ペン型入力機器３のタッチパネルディスプレイ２８への接触が検出される（ステップＳ１０１）。この検出に応じて、使用時間検出部２３によって使用開始時刻が検出及び記憶される（ステップＳ１０２）。次に、ペン型入力機器３の使用開始の検出から１０分間隔などの所定周期で、筆跡入力部２１により、タッチパネルディスプレイ２８上での筆跡データの入力が受け付けられる（ステップＳ１０３）。筆跡データの入力に応じて、筆跡認証部２２により筆跡データが特定の使用者のものであるかが認証される（ステップＳ１０４）。その後、使用時間検出部２３により、タッチパネルディスプレイ２８へのペン型入力機器３の接触が所定時間検出されなくなったか否かが判定される（ステップＳ１０５）。判定の結果、接触が所定時間以内で検出されている場合には（ステップＳ１０５；ＮＯ）、処理がステップＳ１０３に戻され、再度筆跡データの入力及び認証が繰り返される。
【００３４】
一方、ペン型入力機器３の接触が所定時間検出されなくなった場合には（ステップＳ１０５；ＹＥＳ）、使用時間検出部２３により、そのタイミングが使用終了時刻として検出及び記憶される（ステップＳ１０６）。そして、使用時間検出部２３により、検出した特定の使用者の使用時間、及び使用履歴格納部３０に格納された使用頻度情報を基に、時間帯毎、及び使用者毎の使用頻度が集計される（ステップＳ１０７）。最後に、使用時間検出部２３により、集計した使用頻度を基に、使用履歴格納部３０に格納されている使用履歴情報が更新される（ステップＳ１０８）。
【００３５】
次に、図６を参照して、携帯型端末装置２及びペン型入力機器３における近距離無線通信の自動接続の動作手順について説明する。
【００３６】
最初に、携帯型端末装置２とペン型入力機器３との近距離無線通信の接続が解除されている携帯型端末装置２の未使用の状態において、携帯型端末装置２によってペン型入力機器３のタッチパネルディスプレイ２８への接触が検出される（ステップＳ２０１）。この検出に応じて、携帯型端末装置２のタッチパネルディスプレイ２８の画面表示がオフの状態からオンの状態に変更され、タッチパネルディスプレイ２８上に図７に示すような画面が表示される（ステップＳ２０２）。この画面では、ペン型入力機器３によって筆跡を入力するための入力ウィンドウＧ０１が表示される。
【００３７】
その後、携帯型端末装置２の筆跡入力部２１によってペン型入力機器３を用いた入力ウィンドウＧ０１上での筆跡データの入力が受け付けられる（ステップＳ２０３、図８）。筆跡データの入力に応じて、筆跡認証部２２に対して筆跡データの認証処理が要求される（ステップＳ２０４）。それに応じて、筆跡認証部２２によって、筆跡データを用いた筆跡認証が成功したか否かが判定される（ステップＳ２０５）。判定の結果、筆跡認証が失敗した場合には（ステップＳ２０５；ＮＯ）、タッチパネルディスプレイ２８上にエラー画面が表示されるとともに(ステップＳ２０６)、処理がステップＳ２０３に戻されて、筆跡データの入力受付が繰り返される。
【００３８】
一方、筆跡認証が成功し、筆跡データが特定の使用者によるものと認証された場合には（ステップＳ２０５；ＹＥＳ）、携帯型端末装置２の使用時間検出部２３が、認証処理の完了時刻を検出及び記憶する（ステップＳ２０７）。次に、携帯型端末装置２の時間判定部２４が、認証処理の完了時刻を基に使用履歴格納部３０に格納された使用頻度情報を抽出する。さらに、時間判定部２４は、抽出した使用履歴情報を基に使用頻度の合計値を算出し、その合計値が所定閾値以上であるか否かを判定する（ステップＳ２０８）。判定の結果、合計値が所定閾値未満である場合には（ステップＳ２０８；ＮＯ）、処理がステップＳ２０３に戻されて、筆跡データの入力受付が繰り返される。
【００３９】
一方、合計値が所定閾値以上であると判定された場合には（ステップＳ２０８；ＹＥＳ）、携帯型端末装置２の接続制御部２５により、携帯型端末装置２とペン型入力機器３との間における近距離無線通信の接続の確立が開始される（ステップＳ２０９）。それに加えて、接続制御部２５により、データ入出力部２７によるデータ入出力機能が起動され、ペン型入力機器３のデータ入出力部３３によるデータ入出力処理が可能にされる（ステップＳ２１０）。
【００４０】
以上説明した情報処理装置１及びそれを用いた接続制御方法によれば、ペン型入力機器３による筆跡を基に特定の使用者が認証され、その認証結果に応じて当該使用者によるペン型入力機器３の使用時間が検出され、検出された使用時間を基に算出された使用頻度の高い時間帯の情報が、使用者を特定する情報に関連付けて使用履歴格納部３０に格納される。そして、検出された使用者によるペン型入力機器３の使用時間が、使用履歴格納部３０に格納された使用頻度の高い時間帯に含まれるかが判定され、その判定結果に応じて携帯型端末装置２とペン型入力機器３との間が自動接続される。これにより、使用者によってペン型入力機器３が使用される可能性が高い時間帯において携帯型端末装置２とペン型入力機器３との間でのデータ送受信が可能とされるので、携帯型端末装置２とペン型入力機器３との間での無駄な無線接続を防止できる。その結果、携帯型端末装置２及びペン型入力機器３における無駄な電力消費を低減することができる。
【００４１】
また、ペン型入力機器３のタッチパネルディスプレイ２８への接触を検出することにより使用時間の開始時刻が検出されるので、使用者によるペン型入力機器３の使用時間を簡易かつ正確に検出することができる。
【００４２】
また、筆跡認証の完了時刻を検出し、それを基に使用頻度の高い時間帯に含まれるか否かを判定するので、携帯型端末装置２とペン型入力機器３との間でのデータ送受信処理をタイミングよく開始させることができる。
【００４３】
さらに、ペン型入力機器３の使用時間を含む時間帯の使用頻度が所定閾値以上であるか否かに応じて、携帯型端末装置２とペン型入力機器３との間が自動接続されるので、携帯型端末装置２とペン型入力機器３との間での無駄な無線接続を効率的に防止できる。その結果、携帯型端末装置２及びペン型入力機器３における無駄な電力消費を効果的に低減することができる。
【００４４】
なお、本発明は、上述した実施形態に限定されるものではない。例えば、携帯型端末装置２の使用履歴格納部３０には、図４に示すように、時間帯情報毎の使用頻度を管理していたが、使用時間検出部２３によって過去に検出された使用開始時刻及び使用終了時刻を使用者毎に平均化し、平均化された使用開始時刻及び使用終了時刻を含む時間帯情報を、使用頻度の高い時間帯の情報として、使用者毎に使用履歴格納部３０に格納してもよい。このようにすれば、使用者ごとの使用時間が使用頻度の高い時間帯に含まれるか否かの判定を簡易な演算で実現できる。その結果、携帯型端末装置２とペン型入力機器３との間の自動接続処理を効率化できる。
【符号の説明】
【００４５】
２…携帯型端末装置、３…ペン型入力機器、２２…筆跡認証部（筆跡認証手段）、２３…使用時間検出部（使用時間検出手段）、２４…時間判定部（時間判定手段）、２５…接続制御部（接続制御手段）、２８…タッチパネルディスプレイ、３０…使用履歴格納部（使用履歴格納手段）。
【図１】
2015186216.tif 000003
【図２】
2015186216.tif 000004
【図３】
2015186216.tif 000005
【図４】
2015186216.tif 000006
【図５】
2015186216.tif 000007
【図６】
2015186216.tif 000008
【図７】
2015186216.tif 000009
【図８】
2015186216.tif 000010